(57)【特許請求の範囲】
【請求項１】
調理器本体上に、ヒーターと一体化された調理器具を着脱自在に載置し、上記ヒーターに接続された電極ピンを上記調理器具の外側面に突設すると共に、その電極ピンの周りにプラグ受けを設け、電源コードに接続したプラグを上記プラグ受けに着脱自在に嵌合するようにした電気調理器において、
上記プラグ受けに上下一対の押圧部材を相互に押圧する方向の付勢力を付与して収納し、上記各押圧部材の対向面に上記電極ピンを上下からカバーするシール部を設け、上記プラグに上記押圧部材の対向面間に差込んで両部材を上下に開放させる差込み部を設けたことを特徴とする電気調理器。
【請求項２】
上記のシール部が、上記各押圧部材の対向面に取付けられたシール片により形成され、上記シール片の対向面に上記電極ピンを収納する溝を形成し、その溝の内端を開放し、外端を閉塞したことを特徴とする請求項１に記載の電気調理器。
【請求項３】
上記差込み部が、上記プラグの両側面から前方に突き出した対向一対の三角板により形成されたことを特徴とする請求項１又は２に記載の電気調理器。
【請求項４】
上記プラグが、上記差込み部の一対の三角板の中間に突設された感熱棒を有し、その感熱棒の直径より小径の案内穴が上記押圧部材の対向面間に形成されたことを特徴とする請求項３に記載の電気調理器。
【請求項５】
上記感熱棒が上記案内穴に挿入されたのちに、上記差込み部の先端が上記押圧部材の対向面間に差込まれることを特徴とする請求項４に記載の電気調理器。
【請求項６】
上記差込み部の上下の幅が上記プラグの上下の幅と同一であることを特徴とする請求項１から５のいずれかに記載の電気調理器。
【発明の詳細な説明】
【０００１】
【発明の属する技術分野】
この発明はホットプレートのような電気調理器に関するものである。
【０００２】
【従来の技術】
ホットプレートのような電気調理器は、一般に調理器本体上に調理プレートや調理鍋などの調理器具を着脱自在に載置するようになっている。ヒーターは調理器本体側に固定される場合と、調理器具の内部に鋳込まれる場合がある。ヒーターを鋳込んだ形式の調理器具の場合は、そのヒーターの両端と接続された一対の電極ピンが調理器具の外側面に突設され、その電極ピンを囲んでプラグ受けが設けられる。そのプラグ受けに着脱自在に嵌合される電源コード側のプラグには、温度調節機能が付与される。
【０００３】
【発明が解決しようとする課題】
上記のごとき電気調理器において、使用者が調理器具を手入れする際に、これを丸洗いすると電極ピンが水に触れるため、丸洗いは禁止される。このため、従来は電極ピンに水が触れないように流し洗いをする程度であった。
【０００４】
しかし、清潔観念の向上及び手入れの容易さ等から上記のごとき調理器具を丸洗いできることを望む傾向がある。
【０００５】
そこで、この発明は電極ピンを突設した調理器具を、その電極ピンに支障を生じさせることなく丸洗いできるようにした電気調理器を提供することを課題とする。
【０００６】
【課題を解決するための手段】
上記の課題を解決するために、この発明は調理器本体上に、ヒーターと一体化された調理器具を着脱自在に載置し、上記ヒーターに接続された電極ピンを上記調理器具の外側面に突設すると共に、その電極ピンの周りにプラグ受けを設け、電源コードに接続したプラグを上記プラグ受けに着脱自在に嵌合するようにした電気調理器において、上記プラグ受けに上下一対の押圧部材を相互に押圧する方向の付勢力を付与して収納し、上記各押圧部材の対向面に上記電極ピンを上下からカバーするシール部を設け、上記プラグに上記押圧部材の対向面間に差込んで両部材を上下に開放させる差込み部を設けた構成としたものである。
【０００７】
なお、上記のシール部が、上記各押圧部材の対向面に取付けられたシール片により形成され、上記シール片の対向面に上記電極ピンを収納する溝を形成し、その溝の内端を開放し、外端を閉塞した構成や、上記差込み部が、上記プラグの両側面から前方に突き出した対向一対の三角板により形成された構成、上記プラグが、上記差込み部の一対の三角板の中間に突設された感熱棒を有し、その感熱棒の直径より小径の案内穴が上記押圧部材の対向面間に形成された構成をとることができる。また、上記感熱棒が上記案内穴に挿入されたのちに、上記差込み部の先端が上記押圧部材の対向面間に差込まれる構成や、上記差込み部の上下の幅が上記プラグの上下の幅と同一であるとした構成をとることができる。
【０００８】
【発明の実施の形態】
以下、この発明の実施形態を添付図面に基づいて説明する。
【０００９】
図１に示すように、実施形態はホットプレートであり、このホットプレートは、本体１の外形が全体として偏平な四角形をなし、その本体１の内側に四角形の調理プレート２を着脱自在に載置している。また本体１の一側辺に一対のヒンジ受け３を設け、四角形の蓋４の一対のヒンジ５との結合により、蓋４を着脱自在に取付けている。また、本体１と蓋４とは、パッチン錠６により締められる。
【００１０】
上記の調理プレート２は、その一方の短辺の外側面にプラグ受け７が設けられ、またこれと対向した他方の短辺の外側面に取手８（図８参照）が設けられる。本体１には、これらのプラグ受け７及び取手８を受入れるための嵌合部９、１１が設けられる。
【００１１】
また、上記のプラグ受け７に着脱自在に嵌合されるプラグ１２が電源コード１３の先端に設けられる。
【００１２】
図２（ａ）（ｂ）及び図３は、上記のプラグ受け７とプラグ１２の詳細を示すものである。
【００１３】
プラグ受け７は、上受け部材１４と下受け部材１５を上下に密着させて調理プレート２の外側面に固定される。その上受け部材１４の外面の対向面に設けた下向き凹所１６と、下受け部材１５の外面の対向面に設けた上向き凹所１７とを上下に合わせることにより、四角形のプラグ挿入口１８が形成される。そのプラグ挿入口１８の内側には、上記プラグ受け７の内部に収納された上押圧部材１９（図５参照）と下押圧部材２１の前面が露出し、両押圧部材１９、２１の合わせ面２２がプラグ挿入口１８の上下方向の中間に水平方向に現われる。また、その合わせ面２２の中央に感熱棒挿入口２３が設けられ、更にその両側に上下一対の上シール片２４（図５参照）と下シール片２５の端面が露出している。
【００１４】
上シール片２４と下シール片２５は上記の合わせ面２２と同じ位置で上下に合わされる。後述のように上シール片２４と下シール片２５により電極ピン２６が水密状態にカバーされる。各電極ピン２６は調理プレート２に鋳込まれたヒーター２７の両端に接続され、絶縁物２８を介して外部に露出する。
【００１５】
プラグ１２は、図２（ａ）に示すように、ケース２９の内部にバイメタルなどの温度調整装置を内蔵し、上面に調整ダイヤル３１を設け、更に前端面中央に感熱棒３２を突設している。また、その感熱棒３２の両側に前記の電極ピン２６が挿入される電極穴３３が設けられる。また、上記ケース２９の両側面から、感熱棒３２と同じ方向に、かつこれと平行に一対の差込み部３４が突出している。この差込み部３４は、その付根部分がケース２９の上下の幅と等しく、先端に至るに従い尖った三角板となっている。
【００１６】
また、上記の差込み部３４相互間のケース２９の上面と下面に一段凹入した盗み部３５が形成され、プラグ１２をプラグ受け７に差込む際の上押圧部材１９と下押圧部材２１との摩擦抵抗を軽減するようにしている。
【００１７】
図３はプラグ受け７の内部構造を示すものであり、同図において調理プレート２の外側面に突設された一対の電極ピン２６が絶縁物２８から前方に突出した様子が示されている。また、その両方の電極ピン２６の中間に感熱棒挿入穴３６が設けられ、更に各電極ピン２６の外側に取付け金具３７が設けられる。
【００１８】
また、プラグ受け７を構成する上受け部材１４は下方に開放された箱形をなし、図４に示すように、前記の取付け金具３７にビス３８で固定される。上受け部材１４は、その外面３９（調理プレート２と反対側の面）の下縁に前記の下向き凹所１６が形成される。
【００１９】
また、下受け部材１５はビス４２（図４参照）により、上受け部材１４の下面に突き合わせて取付けられる。この下受け部材１５は上面が開放され、その内部と上受け部材１４の内部とによって収納空間４３が形成される（図５参照）。また、下受け部材１５の外面４４に設けた前述の上向き凹所１７と、前記の上受け部材１４の下向き凹所１６とが上下に対向することにより前述のプラグ挿入口１８（図２参照）が形成される。
【００２０】
上記の収納空間４３において、上押圧部材１９が上受け部材１４の内部を上下にスライドできるように収納され、また下押圧部材２１が下受け部材１５の内部を上下にスライドできるように収納される。これらのスライドを案内するための案内リブ４６、４７がそれぞれ上下の押圧部材１９、２１の両側面に設けられ、これを受け入れる案内溝４８、４９が上下の受け部材１４、１５の内側面に設けられる。
【００２１】
上記の上押圧部材１９と上受け部材１４との間に複数本のコイルばね５１が介在され、また下押圧部材２１と下受け部材１５との間にも複数のコイルばね５２が介在される。これらのコイルばね５１、５２により、上下の押圧部材１９、２１の対向面は、一定の押圧力で密着される。
【００２２】
また、上押圧部材１９の下面の中央部に断面半円形の溝５３が前後方向に設けられると共に、下押圧部材２１の上面中央部にも断面半円形の溝５４が前後方向に設けられ、両方の溝５３、５４が上下に重ね合わされることにより感熱棒３２の案内穴５５が形成される（図５参照）。この案内穴５５の直径は、感熱棒３２の直径より小さく形成される。また案内穴５５の前端が前述の感熱棒挿入口２３となり、その後端は前記の調理プレート２の感熱棒挿入穴３６と同芯状態に対向する（図５（ａ）参照）。
【００２３】
また、上押圧部材１９の下面において前記の溝５３の両側にそれぞれ断面角形のシール片収納溝５７（図３参照）が設けられると共に、これらのシール片収納溝５７と対向する断面角形のシール片収納溝５８が下押圧部材２１の上面に設けられる。上押圧部材１９の各シール片収納溝５７には前述の上シール片２４が収納され、また下押圧部材２１の各シール片収納溝５８には下シール片２５が収納される。
【００２４】
これらの上下の各シール片２４、２５は、それぞれ対向面に前記の電極ピン２６の上半部及び下半部を収納するシール溝６１、６２が形成される。各シール溝６１、６２の内端（調理プレート２側）は開放されるが、外端は閉塞される。
【００２５】
上記の各シール片２４、２５は、ゴム等の弾性を有する組成物により形成される。各シール溝６１、６２の反対面に取付け足６３が設けられ、その取付け足６３の途中につば６４を設けている。この取付け足６３をシール片収納溝５７、５８の溝底に設けた取付け穴６５（図５（ｂ）参照）に強制的に挿入することにより、上下のシール片２４、２５をこれらのシール片収納溝５７、５８に固定する。
【００２６】
上下のシール片２４、２５を上下に合わせると、これらのシール溝６１、６２により、電極ピン２６の外周及びその先端面がカバーされると共に、各シール片２４、２５の内端面に電極ピン２６の絶縁物２８の端面が当たる（図５（ｂ）参照）。これにより電極ピン２６はその全体がカバーされ、水密状態になる。
【００２７】
なお、上記上受け部材１４の内面と下受け部材１５の内面に、それぞれ偏平な邪魔板収納凹所６８、６９が設けられ（図５（ａ）参照）、上下の邪魔板収納凹所６８、６９内に邪魔板７１が上下動自在に収納される。
【００２８】
邪魔板収納凹所６８、６９を形成する前後の壁面に、感熱棒３２の挿通穴７２が上下の凹部の突き合せにより形成される。また邪魔板７１に穴７３が形成され、その邪魔板７１が本体１の嵌合部９に設けられた検知突起７４により突き上げられ（図７（ａ）参照）、上記の挿通穴７２と中心が一致し、感熱棒３２の挿入を可能にする。上記の邪魔板７１は、調理プレート２を本体１から外した状態で、そのプラグ受け７にプラグ１２を挿入することを禁止し、ヒーター２７に通電される危険を予防する。
【００２９】
また、本体１の底面に安全金具７５を固定し、その安全金具７５を、プラグ受け７と調理プレート２との間に介在せしめ、その安全金具７５に感熱棒３２の挿通穴７６を設ける。これにより、プラグ１２をプラグ受け７に嵌合した状態で調理プレート２を本体１から外せないようにして、調理プレート２を本体１から外した状態で通電する危険を予防する。
【００３０】
なお、前記の上受け部材１４の両側面及び下受け部材１５の両側面にそれぞれ上下方向のリブ７８、７９が設けられ、これらのリブ７８、７９が本体１の嵌合部９の案内溝８１、８２に嵌合される（図１参照）。
【００３１】
実施形態のホットプレートは以上のごときものであり、プラグ１２をプラグ受け７に嵌合させる以前の状態は、図２（ａ）及び図５（ａ）（ｂ）に示すように、上下の受け部材１４、１５によって形成されたプラグ挿入口１８に上下の押圧部材１９、２１の外端面及び、上下のシール片２４、２５の外端面がそれぞれ露出し、同一の合わせ面２２を境界として、コイルばね５１、５２の付勢力により上下に密着している。
【００３２】
この状態において、上下のシール片２４、２５が電極ピン２６の周りを水密状態にカバーしている（図５（ｂ）参照）。従って、調理プレート２を本体１から取外して洗浄することができ、このとき丸洗いによって調理プレート２が水没することがあっても、電極ピン２６が水に触れることはない。
【００３３】
また、プラグ１２をプラグ受け７に嵌合させると、まず最も前方に突き出した感熱棒３２の先端が感熱棒挿入口２３に挿入され（図６参照）、感熱棒３２を案内穴５５内に押し進めると、その感熱棒３２により上下の押圧部材１９、２１をそれぞれコイルばね５１、５２の力に対向して上下に移動させる。
【００３４】
更に、プラグ１２が押込まれると、その両側の差込み部３４が上下のシール片２４、２５の外側において上下の押圧部材１９、２１の間に挿入され、その三角板の部分で上下の押圧部材１９、２１を更に上下に押し拡げ、最終的にプラグ１２のケース２９の上下の高さだけ押し拡げる。これによりプラグ１２がプラグ受け７に押込まれると共に、そのプラグ１２の電極穴３３に電極ピン２６が挿入され、電気的な接続が行われる。また感熱棒３２が調理プレート２の感熱棒挿入穴３６に挿入される（図７（ａ）、（ｂ）参照）。
【００３５】
なお、図９は本体１の両長辺にガイドレール７７を設け、そのガイドレール７７に蓋４をスライド自在に挿入するようにしたものである。その他の構成は上述の実施形態と同じである。
【００３６】
また、上述の実施形態においては、プラグ１２の両差込み部３４、３４の先端を、感熱棒３２によって上下に押し開けられた上下の押圧部材１９、２１の合わせ面２２の間に挿入するようにしているが、その挿入をスムーズに行わせるために、図１０（ａ）に示すように、シール片２４、２５の外側部に差込み案内凹所８３、８３を設けるようにしてもよい。各案内凹所８３は図１０（ｂ）に示すように、上下の押圧部材１９、２１の合わせ面２２に設けたテーパ状の凹所を上下に合わせることにより形成される。この場合、感熱棒挿入口２３の内径は、感熱棒３２と同径か又は若干大径に形成される。
【００３７】
以上の実施形態はホットプレートについて述べたが、この発明はホットプレートに限らずヒーターと一体化された調理器具を調理器本体に着脱自在に載置した電気調理器一般に適用される。
【００３８】
【発明の効果】
以上のように、この発明は調理器具の電極ピンを、プラグ受けに設けた上下一対の押圧部材とのシール部によりカバーして水密状態を保つようにしたものであるから、その調理器具を丸洗いしても電極ピンに支障を来すことがない。また、上記の押圧部材はプラグの感熱棒及び差込み部により上下に押し拡げられるので、従来の場合と同様に、単にプラグをプラグ受けに差込むという１つの動作で電気的な接続を果すことができる。
【図面の簡単な説明】
【図１】実施形態の斜視図
【図２】（ａ）同上の一部斜視図
（ｂ）同上のプラグの斜視図
【図３】同上の一部分解斜視図
【図４】同上の一部断面図
【図５】（ａ）同上のプラグ差込み以前の状態の一部断面図
（ｂ）同上のプラグ差込み以前の状態の一部断面図
【図６】同上のプラグ差込み時の斜視図
【図７】（ａ）同上のプラグ差込み後の一部断面図
（ｂ）同上のプラグ差込み後の一部断面図
【図８】（ａ）同上の取手部分の斜視図
（ｂ）（ａ）図の平面図
【図９】同上の変形例の斜視図
【図１０】（ａ）同上の他の変形例の一部斜視図
（ｂ）プラグ受けの断面図
【符号の説明】
１  本体
２  調理プレート
３  ヒンジ受け
４  蓋
５  ヒンジ
６  パッチン錠
７  プラグ受け
８  取手
９  嵌合部
１１  嵌合部
１２  プラグ
１３  電源コード
１４  上受け部材
１５  下受け部材
１６  下向き凹所
１７  上向き凹所
１８  プラグ挿入口
１９  上押圧部材
２１  下押圧部材
２２  合わせ面
２３  感熱棒挿入口
２４  上シール片
２５  下シール片
２６  電極ピン
２７  ヒーター
２８  絶縁物
２９  ケース
３１  調整ダイヤル
３２  感熱棒
３３  電極穴
３４  差込み部
３５  盗み部
３６  感熱棒挿入穴
３７  取付け金具
３８  ビス
３９  外面
４２  ビス
４３  収納空間
４４  外面
４６、４７  案内リブ
４８、４９  案内溝
５１、５２  コイルばね
５３、５４  溝
５５  案内穴
５７、５８  シール片収納溝
６１、６２  シール溝
６３  取付け足
６４  つば
６５  取付け穴
６８、６９  邪魔板収納凹所
７１  邪魔板
７２  挿入穴
７３  穴
７４  検知突起
７５  安全金具
７６  挿通穴
７７  ガイドレール
７８、７９  リブ
８１、８２  案内溝
８３  差込み案内凹所
【図１】
0003566543.tif 000002
【図２】
0003566543.tif 000003
【図３】
0003566543.tif 000004
【図４】
0003566543.tif 000005
【図５】
0003566543.tif 000006
【図６】
0003566543.tif 000007
【図７】
0003566543.tif 000008
【図８】
0003566543.tif 000009
【図９】
0003566543.tif 000010
【図１０】
0003566543.tif 000011